(57)【要約】【課題】物品を入れない状態でコンパクトに収納でき、物品を容易に包装でき、包装された物品を容器外から視認可能な、郵送に適した包装容器を提供する。【解決手段】ガゼット折部１６とフラップ１５とを有する袋状に形成され、表面部１１の外面に宛先記入欄３０が印刷されて設けられ、表面部１１又は裏面部に窓孔が穿設された包装容器１０である。ガゼット折部１６を有するから、充分な容量を有しながらもコンパクトに収納でき、物品を容易に包装でき、簡便に郵送できる。購入者が包装された物品を窓孔を介して視認できるから、当該購入者の不安を低減する効果も期待される。密封された透光性の内容器２０を封入することによって、粉粒体，液体，塊状物や、衛生的に保管すべき物品を包装することもできる。例えば、黒糖の包装に適している。【選択図】図１
0003151950.tif 000002
【実用新案登録請求の範囲】
【請求項１】
表面部の外面に宛先記入欄が印刷されて設けられた包装容器であって、ガゼット折部とフラップとを有する袋状に形成され、表面部又は裏面部に窓孔が穿設されてなることを特徴とする包装容器。
【請求項２】
密封された透光性の内容器が封入されてなることを特徴とする請求項１に記載の包装容器。
【請求項３】
内容物が黒糖であることを特徴とする請求項１又は請求項２に記載の包装容器。
【考案の詳細な説明】
【技術分野】
【０００１】
本考案は、物品を包装し郵送するに適した包装容器に関する。
【背景技術】
【０００２】
物品を包装し、簡便に郵送することを可能とした包装容器が開示されている。
【０００３】
例えば、内部に商品を収納する一面が開放された箱本体と、この箱本体の開放面を閉鎖し得る蓋片とを有し、前記箱本体または蓋片の表面に郵便はがきとしての必要事項および記載欄を印刷表示したことを特徴とする包装容器が開示されている（例えば、特許文献１参照）。
【０００４】
また、郵送可能な磁器製の小皿を飾ることができる包装容器が開示されている（例えば、特許文献２参照）。
【先行技術文献】
【特許文献】
【０００５】
【特許文献１】登録実用新案第３０３７５１５号公報
【特許文献２】特許第３５０６８６９号公報
【考案の概要】
【考案が解決しようとする課題】
【０００６】
しかしながら、上記特許文献１に記載の包装容器は、立体的な箱形の形状であって、内容物を入れない状態でも一定の収納スペースを必要とし、組立て及び包装に手間を要する難点があった。また、全体が非透光性で内容物を視認できないため、品質が維持管理された内容物が適切に包装されているか判別できず、購入者の不安を煽る虞があった。
【０００７】
特許文献２に記載の包装容器は、立体的な箱形の形状を有する外箱及び内箱を有していて、内容物を入れない状態でも一定の収納スペースを必要とし、組立て及び包装に手間を要する。
【０００８】
内容物である磁器製の小皿を視認可能とするために外箱が透明とされていて、郵便番号及び宛先を記入し並びに切手を貼るための粘着シールを、別添する必要があった。外箱が透明であるから、印刷により当該外箱に優れた外観を与えることが困難であるし、印刷に際しては前記小皿の色や図柄と干渉しない様に注意を要する。
【０００９】
上記問題点に鑑み、本考案は、内容物を入れない状態でコンパクトに収納でき、内容物を容易に包装でき、内容物を容器外から視認可能な、郵送に適した包装容器を提供することを課題とする。
【課題を解決するための手段】
【００１０】
上記課題を解決する第１の考案は、表面部の外面に宛先記入欄が印刷されて設けられた包装容器であって、ガゼット折部とフラップとを有する袋状に形成され、表面部又は裏面部に窓孔が穿設されてなる包装容器である。
【００１１】
第２の考案は、密封された透光性の内容器が封入されてなる、第１の考案に係る包装容器である。
【００１２】
第３の考案は、内容物が黒糖である第１又は第２の考案に係る包装容器である。
【考案の効果】
【００１３】
本考案の包装容器は、ガゼット折部とフラップとを有する袋状に形成されているから、内容物が入れられていない場合には、薄く折り畳みフラップを延ばすことによって、整然とコンパクトに収納できる。内容物を入れた後、フラップを閉じて裏面部に貼り付けるのみで、容易に当該内容物を包装することができる。ガゼット折部を有するから、本考案の内容積は充分に大きく、厚みのある物品を包装することができる。
【００１４】
表面部又は裏面部に窓孔が穿設されているから、内容物を包装した状態でも容器外から内容物を視認可能であり、それによって購入者の不安が低減されることが期待できる。表面部及び裏面部の窓孔以外の部分は非透光性であるから、デザインを凝らした印刷をすることが可能であり、それによって優れた外観を与えることができる。
【００１５】
表面部の外面に宛先記入欄が設けられているから、該宛先記入欄に宛先を記入して郵送するのに適する。旅先で購入した土産物をそのまま発送できるから、購入者は、輸送に掛かる手間や費用を抑えることができる。
【００１６】
また、内容物を包装した本考案の包装容器は、積み重ねたり、棚中に立てて並べたりすることができ、箱状容器に比べ陳列方法の制約が少ない。
【００１７】
密封された透光性の内容器が封入されてなる本考案は、当該内容器に内容物を入れて包装することができるから、粉粒体，液体，若しくは塊状物を包装し、又は食品その他の衛生的に保管すべき物品を包装することに適する。内容器が透光性であるから、容器外から、窓孔及び内容器を介して内容物を視認することができる。黒糖を初めとする、外観が品質と相関し又は訴求力のある外観を有する物品の包装に適する。
【図面の簡単な説明】
【００１８】
【図１】本考案の実施形態を示す斜視図である。
【図２】本考案に係る包装容器の展開図である。
【図３】本考案に係る内容器を示す斜視図である。
【図４】本考案の実施形態を示す側方視断面図である。
【考案を実施するための形態】
【００１９】
以下に、本考案を実施するための形態を、図面を参照して詳細に説明するが、本考案はこれに限定されるものではない。
【００２０】
本考案の包装容器１０は、図１に示される様に、表面部１１の外面に宛先記入欄３０が印刷されて設けられた包装容器であって、ガゼット折部１６，１６とフラップ１５とを有する袋状に形成され、表面部１１又は裏面部１２に窓孔１７が穿設されてなる。
【００２１】
包装容器１０は、例えば、図２に示される形状の紙を折り畳み、縦シール部１３を裏面部１２に接着した後、底部１４を裏面部１２に接着することによって作製される。縦シール部１３の位置は特に限定されず、例えば、左右略中央で２分割された裏面部１２の一方に連設されていても良いが、図２に示される様にガゼット折部１６に連設されることが好ましい。当該縦シール部１３が目立ち難く、また、包装容器１０作製時に、印刷されたデザイン，文字等がずれて見栄え悪くなることを回避できるからである。
【００２２】
包装容器１０の材質は、非透光性であれば特に限定されず、紙，可撓性を有する合成樹脂等を用いることができるが、軽量で印刷容易な紙が好ましい。また、上記同様の形状に形成されれば良く、必ずしも図２に示される展開図を有することに限定されない。
【００２３】
表面部１１の外面には、宛先記入欄３０及び切手貼付欄３３が、印刷されて設けられている。図１においては、郵便番号記入欄３１と住所記入欄３２からなる宛先記入欄３０を例示したが、宛先記入欄３０の形態は必ずしもこれに限定されず、例えば、郵便番号記入欄３１のみが印刷されて設けられ、その下方に空白が設けられていても良い。切手貼付欄３３は必ずしも設けられている必要はなく、また、表面部１１の外面には、宛先記入欄３０以外に模様，文字等が印刷されていても良い。
【００２４】
表面部１１の上端には、フラップ１５が設けられていて、該フラップ１５を折り返して裏面部１２に接着することによって、包装容器１０は閉じられる。
【００２５】
ガゼット折部１６，１６は、表面部１１及び裏面部１２と等しい高さを有し、縦二つ折りにされて容器内方に収められる。
【００２６】
窓孔１７は、包装容器１０外から内容物を視認するための孔であって、表面部１１及び裏面部１２の少なくとも何れか一方に穿設される。本考案に内容物を封入し陳列した時に、内容物が容易に視認される様、窓孔１７は表面部１１に穿設されていることが好ましい。
【００２７】
窓孔１７の形状は特に限定されず、図１及び図２に示される円形状の他、楕円形状，多角形状等の任意形状とされていても良い。包装容器１０の意図しない破断の虞を低減するため、窓孔１７の形状は、凸角及び凹角を持たない形状が好ましく、形成容易な円形又は楕円形であることがより好ましい。また、窓孔１７は必ずしも包装容器１０内外を連通することに限られず、窓孔１７を覆う透光性のフィルムが、表面部１１又は裏面部１２に貼着されていても良い。
【００２８】
本考案の包装容器１０に、密封された透光性の内容器２０を封入することもできる。図３においては、内容器２０を、外周にヒートシール部２１を有する略長方形の袋状物として図示するが、密封されていればその形状は特に限定されず、また、必ずしもヒートシールによって密封されることに限られない。内容器２０の材質は、透光性を有するものであれば特に限定されず、例えば、透明又は半透明な、ポリエチレン，ポリプロピレン等の合成樹脂が好適に用いられる。
【００２９】
内容物として黒糖４０を入れた内容器２０を包装容器１０に封入した状態を、図４に示す。黒糖の色調は、黒糖に含まれるタンパク質，ミネラル等の量に依存すると考えられており、黒糖購入者の購買意欲に影響する。上記の様に構成された包装容器１０によれば、窓孔１７及び内容器２０を介して容器外から黒糖４０を視認し観察できるから、黒糖４０の外観が購入者に訴求することが期待される。図４においては、塊状の黒糖４０を例示したが、内容物が黒糖に限定されないことは言うまでもない。内容器２０が封入された本考案の包装容器１０は、粉粒体，液体，若しくは塊状物の、又は食品その他の衛生的に保管すべき物品の包装に適している。
【符号の説明】
【００３０】
１０  包装容器
１１  表面部
１２  裏面部
１３  縦シール部
１４  底部
１５  フラップ
１６  ガゼット折部
１７  窓孔
２０  内容器
２１  ヒートシール部
３０  宛先記入欄
３１  郵便番号記入欄
３２  住所記入欄
３３  切手貼付欄
４０  黒糖
【図１】
0003151950.tif 000003
【図２】
0003151950.tif 000004
【図３】
0003151950.tif 000005
【図４】
0003151950.tif 000006